【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
複数のタスクソースから取得されるタスクアイテムにアクセスし、当該タスクアイテムを操作するためのタスクリストサービスの統一インタフェースを提供するための方法であって、
特定の利用者について、複数の異なるユーザアクセスされたタスクソースと通信を確立すること、
前記複数の異なるユーザアクセスされたタスクソースから、前記複数の異なるユーザアクセスされたタスクソースのうちの第１のタスクソースにより生成される第１のアイテムを発見すること、  
前記第１のアイテムに関連付けられ、前記第１のタスクソースにより所持される第１のタスクを、前記第１のアイテムに基づいて作成すること、
前記第１のタスクに基づいて、前記第１のタスクに関連付けられる第１のプロキシタスクを作成すること、
タスクリストサービスの統一インタフェース内で前記第１のプロキシタスクを表示すること、
前記統一インタフェースを介して前記第１のプロキシタスクとの利用者の対話を受信すること、及び
前記利用者の対話に応答し、前記第１のプロキシタスクに関連付けられる前記第１のタスクを介して、前記第１のタスクソースを起動すること
を含む、方法。
【請求項２】
前記複数の異なるタスクソースと通信を確立することが、
前記複数の異なるタスクソースのうちの各タスクソースに前記特定の利用者がアクセスするための認証資格情報を提供すること
を更に含む、請求項１に記載の方法。
【請求項３】
前記認証資格情報は、前記特定の利用者に関連する１以上のプロキシタスク、及び他の利用者に関連する１以上のプロキシタスクを閲覧する許可を前記特定の利用者に付与した前記他の利用者に関連する前記１以上のプロキシタスクへのアクセスを前記特定の利用者に付与する、請求項２に記載の方法。
【請求項４】
前記複数の異なるタスクソースが
リレーショナルグラフ、
電子メールサービス、
カレンダサービス、及び
生産性サービス
を含む、請求項１に記載の方法。
【請求項５】
前記第１のアイテムを発見することが、前記複数の異なるユーザアクセスされたタスクソースの第１のタスクソースによって作成される１以上のアイテムを構文解析して、前記第１のアイテムの内容に基づいて前記第１のアイテムをヒューリスティックに判定することを含む、請求項１に記載の方法。
【請求項６】
前記利用者の対話に応答して、さらに、
前記第１のタスクソースに前記利用者の対話を伝送すること、
前記第１のタスクソースから前記第１のタスクに対する更新を要求すること、及び
前記更新を受信することに応答して前記統一インタフェース内の前記第１のプロキシタスクを更新すること
を更に含む、請求項１に記載の方法。
【請求項７】
前記統一インタフェース内で前記第１のプロキシタスクを表示することが、前記第１のタスクソースにおける前記第１のアイテムにアクセスするハイパーリンクを表示することを含む、請求項１に記載の方法。
【請求項８】
複数のタスクソースから取得されるタスクアイテムにアクセスし、当該タスクアイテムを操作するためのタスクリストサービスの統一インタフェースを提供するためのシステムであって、
プロセッサと、
前記プロセッサによって実行されるとき、
特定の利用者について、複数の異なるユーザアクセスされたタスクソースと通信を確立すること、
前記複数の異なるユーザアクセスされたタスクソースから、前記複数の異なるユーザアクセスされたタスクソースのうちの第１のタスクソースにより生成される第１のアイテムを発見すること、  
前記第１のアイテムに関連付けられ、前記第１のタスクソースにより所持される第１のタスクを、前記第１のアイテムに基づいて作成すること、
前記第１のタスクに基づいて、前記第１のタスクに関連付けられる第１のプロキシタスクを作成すること、
タスクリストサービスの統一インタフェース内で前記第１のプロキシタスクを表示すること、
前記統一インタフェースを介して前記第１のプロキシタスクとの利用者の対話を受信すること、及び
前記利用者の対話に応答し、前記第１のプロキシタスクに関連付けられる前記第１のタスクを介して、前記第１のタスクソースを起動すること
を前記システムが行うことを可能にする命令を含むメモリ記憶装置と
を含む、システム。
【請求項９】
前記複数の異なるタスクソースと通信を確立するために、
前記複数の異なるタスクソースのうちの各タスクソースに前記特定の利用者がアクセスするための認証資格情報を提供すること
を前記システムが行うことが更に可能にされる、請求項８に記載のシステム。
【請求項１０】
前記認証資格情報は、前記特定の利用者に関連する１以上のプロキシタスク、及び他の利用者に関連する１以上のプロキシタスクを閲覧する許可を前記特定の利用者に付与した前記他の利用者に関連する前記１以上のプロキシタスクへのアクセスを前記特定の利用者に付与する、請求項９に記載のシステム。
【請求項１１】
前記複数の異なるタスクソースが
リレーショナルグラフ、
電子メールサービス、
カレンダサービス、及び
生産性サービス
を含む、請求項８に記載のシステム。
【請求項１２】
前記第１のアイテムを発見するために、前記複数の異なるユーザアクセスされたタスクソースの第１のタスクソースによって作成される１以上のアイテムを構文解析して、前記第１のアイテムの内容に基づいて前記第１のアイテムをヒューリスティックに判定することを前記システムが更に行うことができる、請求項８に記載のシステム。
【請求項１３】
前記利用者の対話に応答して、
前記第１のタスクソースに前記利用者の対話を伝送すること、
前記第１のタスクソースから前記第１のタスクに対する更新を要求すること、及び
前記更新を受信することに応答して前記統一インタフェース内の前記第１のプロキシタスクを更新すること
を前記システムが更に行うことができる、請求項８に記載のシステム。
【請求項１４】
前記統一インタフェース内で前記第１のプロキシタスクを表示するために、前記第１のタスクソースにおける前記第１のアイテムにアクセスするハイパーリンクを表示することを前記システムが更に行うことができる、請求項８に記載のシステム。
【請求項１５】
特定の利用者について、複数の異なるユーザアクセスされたタスクソースと通信を確立すること、
前記複数の異なるユーザアクセスされたタスクソースから、前記複数の異なるユーザアクセスされたタスクソースのうちの第１のタスクソースにより生成される第１のアイテムを発見すること、  
前記第１のアイテムに関連付けられ、前記第１のタスクソースにより所持される第１のタスクを、前記第１のアイテムに基づいて作成すること、
前記第１のタスクに基づいて、前記第１のタスクに関連付けられる第１のプロキシタスクを作成すること、
タスクリストサービスの統一インタフェース内で前記第１のプロキシタスクを表示すること、
前記統一インタフェースを介して前記第１のプロキシタスクとの利用者の対話を受信すること、及び
前記利用者の対話に応答し、前記第１のプロキシタスクに関連付けられる前記第１のタスクを介して、前記第１のタスクソースを起動すること
を含む、プロセッサ実行可能命令であって、前記複数のタスクソースから取得されるタスクアイテムにアクセスし、当該タスクアイテムを操作するためのタスクリストサービスの前記統一インタフェースを提供するための前記プロセッサ実行可能命令を含む、コンピュータ可読記憶装置。